(57)【特許請求の範囲】
【請求項１】
対向する一対の堰板間にコンクリートを打設する際のコンクリート型締め構造であって、
截頭円錐形のコーン部、該コーン部の一端に形成された雌ネジ部、前記コーン部の他端から延出した雄ネジ部、前記コーン部と一体または別体に形成されて前記コーン部の外周面の少なくとも一部を囲繞している環状部、及び、該環状部において前記雌ネジ部側の端部から前記雄ネジ部側の端部まで貫通している複数の排出路を有するセパレータ用コーンと、
両端に雄ネジが形成された長棒状のセパレータとを具備しており、
前記雌ネジ部を前記セパレータの雄ネジに螺合させた前記セパレータ用コーンが、前記雄ネジ部側の端部を前記堰板の一方の内側面に当接させた状態で、前記雄ネジ部を前記堰板に貫通して穿設された緊結用孔部に挿通しており、前記堰板の外側面側で前記雄ネジ部と螺合している緊結部材によって前記セパレータ用コーンを介して前記セパレータが前記堰板に緊結されており、
前記セパレータ用コーンの前記排出路は、前記堰板に貫通して穿設された排出用孔部に連通している
ことを特徴とするコンクリート型締め構造。
【請求項２】
截頭円錐形のコーン部と、
該コーン部の一端に形成された雌ネジ部と、
前記コーン部の他端から延出した雄ネジ部と、
前記コーン部と一体または別体に形成されて前記コーン部の外周面の少なくとも一部を囲繞している環状部と、
該環状部において前記雌ネジ部側の端部から前記雄ネジ部側の端部まで貫通している排出路と
を具備することを特徴とするセパレータ用コーン。
【請求項３】
前記環状部は、前記雌ネジ部側の端部の周縁に沿って、複数の前記排出路を連通させる縁溝を有する
ことを特徴とする請求項２に記載のセパレータ用コーン。
【請求項４】
前記環状部は、前記コーン部とは別体であると共に、内周面において前記雌ネジ部側の端部から前記雄ネジ部側の端部に向かって凹設された複数の溝部を有しており、
前記環状部を前記コーン部に外嵌させた状態で、前記溝部内の空隙によって前記排出路が形成される
ことを特徴とする請求項２または請求項３に記載のセパレータ用コーン。
【発明の詳細な説明】
【技術分野】
【０００１】
本発明は、型枠間にコンクリートを打設する際のコンクリート型締め構造、及び、該コンクリート型締め構造に使用されるセパレータ用コーンに関するものである。
【背景技術】
【０００２】
コンクリートを打設する際、型枠間にコンクリートを流し込んだ後ある程度の時間が経過すると、材料の比重差及び浮力差によって材料分離が生じる（ブリーディング）。水や気泡は上昇しコンクリートは沈下するが、型枠間に張設された水平材からは、それより上方のコンクリートを沈下させないよう拘束する力が作用する。水平材としては、コンクリートの補強のために型枠間に縦横に配設された鉄筋のうち水平方向に配された鉄筋や、型枠間の距離を保持するために用いられるセパレータがある。
【０００３】
このような水平材によって沈下を拘束されたコンクリートと、沈下するコンクリートとの間で、水平材の下面に沿って空隙（沈下ひび割れ）が生じる。この水平材の下面に沿った空隙には、ブリーディングによりコンクリートと分離した水や気泡が、水平材によって上昇を妨げられ、滞留する。これにより、水平材の上下のコンクリート間の付着強度、及び水平材とコンクリートとの付着強度が低下すると共に、滞留した水との接触により補強用の鉄筋が錆びやすくなるため、打設後のコンクリート構造体の強度が低下する。
【０００４】
また、上記のような空隙の存在により、打設後のコンクリート構造体は多孔質となり、強度や水密性が低下する。また、空隙を介して、二酸化炭素や塩化物イオンなど、コンクリートを劣化させる因子が、外部からコンクリート内部に浸入する。ここで、二酸化炭素は、セメント硬化体中の水酸化カルシウムやケイ酸カルシウム水和物等と反応して炭酸カルシウムと他の成分に変化させ（炭酸化）、コンクリートを脆化させる。加えて、二酸化炭素がコンクリート中の水酸化カルシウムと反応することにより、コンクリートのアルカリ性が喪失し（中性化）、補強用の鉄筋の表面に形成された不動態皮膜（酸化皮膜）が破壊される。また、塩化物イオンは、鉄筋の表面における不動態皮膜の形成を阻害する。不動態皮膜が存在しない鉄筋は、電気化学的に腐食しやすいと共に錆が発生しやすく、鉄筋コンクリートの耐久性が低下する。
【０００５】
そこで、水平材の下面に沿った空隙を残存させないために、水や気泡を空隙に滞留させることなく外部に排出させることを想到し得る。従来、セパレータ用コーンを介して、コンクリート打設時の余剰の水を型枠の外部に排出する技術が提案されている（特許文献１及び特許文献２参照）。ここで、セパレータは型枠間の間隔を保持する長棒状部材であり、図１３に示すように、セパレータ２０の両端には雄ネジ２１が形成されている。一方、セパレータ用コーン１３１は截頭円錐形であり、外径の小さい方の端部に雌ネジ１３２が形成されており、この雌ネジ１３２にセパレータ２０の雄ネジ２１を螺合させることにより、セパレータ２０の両端に取り付けられる。セパレータ用コーン１３１の外径の大きい方の端部は開端で、そこから外方に向かって雄ネジ１３３が延出している。セパレータ２０の両側で、セパレータ用コーン１３１の雄ネジ１３３を型枠の堰板に設けられた貫通孔部に挿通し、堰板の外側からナットで締結することにより、セパレータ２０が型枠間に固定される。
【０００６】
特許文献１及び特許文献２の技術は何れも、このような一般的なセパレータ用コーンに変更を加えたものであり、特許文献１では、セパレータ用コーンの周壁に、その内部空間と連通する通水小孔を多数設け、この通水小孔を介して、不織布等の濾材で濾過された水をセパレータ用コーンの内部空間に導き、セパレータ用コーンの雄ネジが貫通している堰板の貫通孔部を介して、水を外部に排出することを提案している。
【０００７】
特許文献２では、不織布やスポンジ等の吸水性を有する排水材を設けた補強筋の端部を、セパレータ用コーンの内部空間と連通させることにより、セパレータ用コーンの雄ネジが貫通している堰板の貫通孔部を介して、水を外部に排出することを提案している。
【０００８】
このように、特許文献１及び特許文献２の技術は何れも、セパレータ用コーンの内部空間から、セパレータ用コーンの雄ネジが貫通している堰板の貫通孔部を介して、余剰の水を外部に排出するものである。しかしながら、セパレータ用コーンは、雄ネジが堰板の外側でナットで留め付けられることにより、堰板に緊結される。この際、雄ネジには、ワッシャや、型枠支保工のために根太や大引を支持させる支持枠等を通した上で、ナットを留め付けるのが一般的である。そのため、雄ネジが貫通している堰板の貫通孔部は、これらの緊結用の部材で塞がれており、この貫通孔部を介して水を排出することは実際的ではなかった。
【発明の概要】
【発明が解決しようとする課題】
【０００９】
そこで、本発明は、上記の実情に鑑み、コンクリート内部の気泡や余剰な水を型枠外に排出することが可能なコンクリート型締め構造、及び、該コンクリート型締め構造に使用されるセパレータ用コーンの提供を、課題とするものである。
【課題を解決するための手段】
【００１０】
上記の課題を解決するため、本発明にかかるコンクリート型締め構造は、「対向する一対の堰板間にコンクリートを打設する際のコンクリート型締め構造であって、截頭円錐形のコーン部、該コーン部の一端に形成された雌ネジ部、前記コーン部の他端から延出した雄ネジ部、前記コーン部と一体または別体に形成されて前記コーン部の外周面の少なくとも一部を囲繞している環状部、及び、該環状部において前記雌ネジ部側の端部から前記雄ネジ部側の端部まで貫通している複数の排出路を有するセパレータ用コーンと、両端に雄ネジが形成された長棒状のセパレータとを具備しており、前記雌ネジ部を前記セパレータの雄ネジに螺合させた前記セパレータ用コーンが、前記雄ネジ部側の端部を前記堰板の一方の内側面に当接させた状態で、前記雄ネジ部を前記堰板に貫通して穿設された緊結用孔部に挿通しており、前記堰板の外側面側で前記雄ネジ部と螺合している緊結部材によって前記セパレータ用コーンを介して前記セパレータが前記堰板に緊結されており、前記セパレータ用コーンの前記排出路は、前記堰板に貫通して穿設された排出用孔部に連通している」ものである。
【００１１】
「堰板」としては、一般的に合板が用いられるが、材質は特に限定されず金属製や樹脂製であってもよい。堰板の大きさ、形状、間隔、堰板間に張設されるセパレータの本数は、打設するコンクリート構造物の大きさ、形状によって適宜設定される。
【００１２】
「セパレータ用コーン」の「コーン部」及び「環状部」の材質としては、樹脂、セラミック、モルタル等を挙げることができる。「排出路」としては、断面形状が円形、楕円形、半円形、四角形のものを挙げることができる。コーン部と環状部とが一体の場合、「排出路」はセパレータ用コーンの成形と同時に形成されるものであっても、セパレータ用コーンの成形後に切削等により形成されるものであっても良い。また、コーン部と環状部とが別体の場合、「排出路」は環状部の成形と同時に形成されるものであっても、環状部の成形後に切削等により形成されるものであっても良い。
【００１３】
「セパレータ」は、座金を有するものなど多数の種類が存在するが、両端に雄ネジが形成されておりセパレータ用コーンを取り付けることができるものであれば、限定なく使用することができる。
【００１４】
堰板を貫通する「排出用孔部」は、セパレータ用コーンの取り付け位置に応じて、セパレータ用コーンの排出路と連通する位置に一つ、または複数が設けられる。排出路はセパレータ用コーンにおいて環状部に設けられることから、排出路の開端は緊結用孔部より外側で堰板に接するが、緊結用孔部の下方に排出用孔部を設ければ重力により水を排出しやすく、緊結用孔部の上方に排出用孔部を設ければ水と分離した気泡を排出しやすく望ましい。
【００１５】
「緊結材」は、セパレータ用コーンの雄ネジと螺合する雌ネジを有し、堰板とセパレータ用コーンを緊結するものであり、ナット、フォームタイ（登録商標）ナット等を例示することができる。
【００１６】
本構成のコンクリート型締め構造によれば、セパレータ用コーンとして、コーン部を囲繞している環状部を有し、雌ネジ部側の端部から雄ネジ部側の端部まで環状部を貫通している排出路（換言すれば、環状部を軸方向に貫通している排出路）を、有するセパレータ用コーンを使用しているため、セパレータの下面に滞留する水や気泡はセパレータ用コーンの排出路に流入する。排出路は堰板の排出用孔部と連通しているため、この排出用孔部を介して、水や気泡を外部に排出することができる。本発明では、セパレータ用コーンの排出路と連通する堰板の排出用孔部を、緊結用孔部とは別に設けているため、緊結用の部材に妨げられることなく、水や気泡を外部に排出することができる。
【００１７】
次に、本発明にかかるセパレータ用コーンは、「截頭円錐形のコーン部と、該コーン部の一端に形成された雌ネジ部と、前記コーン部の他端から延出した雄ネジ部と、前記コーン部と一体または別体に形成されて前記コーン部の外周面の少なくとも一部を囲繞している環状部と、該環状部において前記雌ネジ部側の端部から前記雄ネジ部側の端部まで貫通している排出路とを具備する」ものである。
【００１８】
本構成のセパレータ用コーンは、上述のコンクリート型締め構造に使用されるセパレータ用コーンである。セパレータ用コーンが環状部に排出路を有していることにより、上述のコンクリート型締め構造を構築することが可能であり、コンクリート内の水や気泡を外部に排出することができる。
【００１９】
本発明にかかるセパレータ用コーンは、上記構成に加え、「環状部は、前記雌ネジ部側の端部の周縁に沿って、複数の前記排出路を連通させる縁溝を有する」ものとすることができる。
【００２０】
本構成では、堰板に取り付けられたセパレータ用コーンにおいて、軸芯よりも上方に位置する排出路に流入した水は、縁溝を通じて下方に位置する排出路へと導かれる。これにより、重力を利用して容易に、水を外部に排出することができる。
【００２１】
本発明にかかるセパレータ用コーンは、上記構成において、「前記環状部は、前記コーン部とは別体であると共に、内周面において前記雌ネジ部側の端部から前記雄ネジ部側の端部に向かって凹設された複数の溝部を有しており、前記環状部を前記コーン部に外嵌させた状態で、前記溝部内の空隙によって前記排出路が形成される」ものとすることができる。
【００２２】
本構成では、環状部は独立した一部品である。従って、溝部を有する環状部のみを製造し、一般に流通しているセパレータ用コーンをコーン部として用い、これに環状部を装着することで、容易に排出路を備えるセパレータ用コーンを得ることができる。
【発明の効果】
【００２３】
以上のように、本発明の効果として、コンクリート内部の気泡や余剰な水を型枠外に排出することが可能なコンクリート型締め構造、及び、該コンクリート型締め構造に使用されるセパレータ用コーンを、提供することができる。
【図面の簡単な説明】
【００２４】
【図１】本発明の第一実施形態であるセパレータ用コーンの斜視図である。
【図２】図１のセパレータ用コーンの正面図である。
【図３】図１のセパレータ用コーンを雄ネジ部側から見た側面図である。
【図４】図１のセパレータ用コーンのＡ−Ａ線断面図である。
【図５】図１のセパレータ用コーンのＢ−Ｂ線断面図（上）と、Ｂ−Ｂ線に直交する線で切断した断面図（下）とを組み合わせた図である。
【図６】本発明の第二実施形態であるのセパレータ用コーンの（ａ）分解斜視図、（ｂ）環状部を大径側から見た側面図である。
【図７】本発明の第三実施形態であるセパレータ用コーンの斜視図である。
【図８】図７のセパレータ用コーンを図５と同様に切断した断面図である。
【図９】図７のセパレータ用コーンを雄ネジ部側から見た側面図である。
【図１０】本発明の第四実施形態であるセパレータ用コーンの分解斜視図である。
【図１１】本発明の一実施形態であるコンクリート型締め構造の斜視図である。
【図１２】図１１のコンクリート型締め構造の要部の断面図である。
【図１３】一般的なセパレータ用コーン及びセパレータの斜視図である。
【発明を実施するための形態】
【００２５】
以下、本発明の実施形態であるコンクリート型締め構造１、及び、コンクリート型締め構造１に使用される第一実施形態〜第四実施形態のセパレータ用コーン３０ａ，３０ｂ，３０ｃ，３０ｄについて、図１乃至図１２を用いて説明する。まず、各実施形態のセパレータ用コーン３０ａ，３０ｂ，３０ｃ，３０ｄについて説明する。
【００２６】
第一実施形態のセパレータ用コーン３０ａは、截頭円錐形のコーン部３１と、コーン部３１の一端に形成された雌ネジ部３２と、コーン部３１の他端から延出した雄ネジ部３３と、コーン部３１と一体に形成されてコーン部３１の外周面の一部を囲繞している環状部３４と、環状部３４において雌ネジ部３２側の端部から雄ネジ部３３側の端部に向かって貫通している複数の排出路３５とを具備している。
【００２７】
また、環状部３４は、雌ネジ部３２側の端部、及び雄ネジ部３３側の端部それぞれの周縁に沿って、複数の排出路３５を連通させる縁溝３６を有している。
【００２８】
より詳細に説明すると、コーン部３１は大径側の端部が開放した中空状であり、中心から雄ネジ部３３が延出している。また、コーン部３１の小径側の端部には、雄ネジ部３３と同軸上に雌ネジ部３２が形成されている（図５参照）。環状部３４は、コーン部３１の雄ネジ部３３側の端部から雌ネジ部３２側端部に向かって略半分を、一定の厚さで囲繞している。すなわち、環状部３４も、その外形は截頭円錐形である。
【００２９】
環状部３４には、図３及び図４に示すように、六つの排出路３５が等角度間隔で穿設されている。それぞれの排出路３５の形状は、Ａ−Ａ線及びこれに平行な線で切断した断面において、周縁の形状がコーン部３１の外周面に対して楕円弧状である。また、排出路３５は、雌ネジ部３２側の端部から雄ネジ３３部側の端部まで一定の幅に形成されている（図５の上側断面図を参照）。排出路３５と排出路３５との間では、コーン部３１と環状部３４が一体となっている（図５の下側断面図を参照）。
【００３０】
縁溝３６は、環状部３４の小径側の端部において、周縁に沿って一定の深さに設けられていると共に、環状部３４の大径側の端部において、周縁に沿って一定の深さに設けられている（主に図５を参照）。つまり、排出路３５と排出路３５との間にも縁溝３６が存在するため、これによって複数の排出路３５が連通している。
【００３１】
続いて、第二実施形態のセパレータ用コーン３０ｂについて、主に図６を用いて説明をする。ここで、第一実施形態と同様の構成については同一の符号を付し、詳細な説明は省略する。
【００３２】
第二実施形態のセパレータ用コーン３０ｂが第一実施形態のセパレータ用コーン３０ａと相違している点は、環状部３４がコーン部３１と別体である点である。本実施形態の環状部３４には、図６（ｂ）に示すように、断面が楕円弧状の六つの溝部３７が等角度間隔で凹設されている。これにより、溝部３７と溝部３７との間に六つの凸部３８が、環状部３４の内周面から中心に向かって突出している。凸部３８の両端部（軸方向の端部）は、何れも環状部３４の両端部まで達しておらず、凸部３８の端部は環状部３４の端部より内側に位置している。なお、六つの凸部３８の内、一つおきの三つの凸部３８には、環状部３４の外周面まで貫通する小孔３９が穿設されている
【００３３】
以上の構成により、環状部３４をコーン部３１に外嵌させることで、図１乃至図５を用いて上述した第一実施形態のセパレータ用コーン３０ａと同一構成のセパレータ用コーン３０ｂが形成される。より詳しくは、コーン部３１の外周面と環状部３４の溝部３７の内周面に囲まれた空隙によって、環状部３４の雌ネジ部３２側の端部から雄ネジ部３３側の端部まで貫通した排出路３５が形成される。また、凸部３８の両端部がそれぞれ環状部３４の両端部まで達していないため、環状部３４の両端部の周縁に沿って、コーン部３１の外周面と環状部３４の内周面とに囲まれた空隙によって、複数の排出路３５を連通させる縁溝３６が形成される。また、環状部３４の外周面から小孔３９に挿入したビス等により、環状部３４をコーン部３１に留め付けて固定することができる。
【００３４】
続いて、本発明の第三実施形態であるセパレータ用コーン３０ｃについて図７乃至図９を用いて説明する。ここで、第一実施形態及び第二実施形態と同様の構成については同一の符号を付し、詳細な説明は省略する。
【００３５】
第三実施形態のセパレータ用コーン３０ｃが第一実施形態のセパレータ用コーン３０ａと相違する点は、コーン部３１が複数のスリット４０を有している点である。スリット４０はコーン部３１の外周面に断面凹状に形成されており、排出路３５内に開口するように排出路３５と同じ方向に延びている。スリット４０は、コーン部３１の外周面の途中で環状部３４の雌ネジ部３２側の端部の位置を一端とし、雄ネジ部３３側の端部に向かって漸次深さを増して、コーン部３１の雄ネジ部３３側の端面に開口している（図８の上側断面図を参照）。
【００３６】
このようなスリット４０によって、環状部３４の排出路３５のみを有する場合に比べて、水や気泡の流通路となる空隙が拡大する。
【００３７】
続いて、本発明の第四実施形態であるセパレータ用コーン３０ｄについて、主に図１０を用いて説明する。ここで、第一実施形態乃至第三実施形態と同様の構成については同一の符号を付し、詳細な説明は省略する。
【００３８】
第四実施形態のセパレータ用コーン３０ｄは、第二実施形態のセパレータ用コーン３０ｂと同様に、環状部３４がコーン部３１と別体であり、第三実施形態のセパレータ用コーン３０ｃと同様に、コーン部３１がスリット４０を有している。環状部３４については第二実施形態と同一の構成であり、スリット４０については第三実施形態と同一の構成である。
【００３９】
以上の構成により、環状部３４をコーン部３１に外嵌させ、且つ、環状部３４の溝部３７とコーン部３１のスリット４０の位置を合わせることで、図７乃至図９を用いて上述した第三実施形態のセパレータ用コーン３０ｃと同一構成のセパレータ用コーン３０ｄが形成される。このように、環状部３４とコーン部３１とを別体とすることにより、溝部３７及びスリット４０の双方を有するセパレータ用コーン３０ｄを容易に製造することができる。
【００４０】
次に、本発明の一実施形態であるコンクリート型締め構造１について、図１１及び図１２を用いて説明する。上記の第一実施形態乃至第四実施形態のセパレータ用コーン３０ａ，３０ｂ，３０ｃ，３０ｄの何れも、本実施形態のコンクリート型締め構造１に使用することができる。以下では、第一実施形態乃至第四実施形態のセパレータ用コーン３０ａ，３０ｂ，３０ｃ，３０ｄを区別する必要がない場合、「セパレータ用コーン３０」と総称して説明する。
【００４１】
本実施形態のコンクリート型締め構造１は、対向する一対の堰板１０間にコンクリートを打設する際のコンクリート型締め構造であって、截頭円錐形のコーン部３１、コーン部３１の一端に形成された雌ネジ部３２、コーン部３１の他端から延出した雄ネジ部３３、コーン部３１と一体または別体に形成されてコーン部３１の外周面の一部を囲繞している環状部３４、及び、環状部３４において雌ネジ部３２側の端部から雄ネジ部３３側の端部まで貫通している複数の排出路３５を有するセパレータ用コーン３０と、両端に雄ネジ２１が形成された長棒状のセパレータ２０とを具備しており、雌ネジ部３２をセパレータの雄ネジ２１に螺合させたセパレータ用コーン３０が、雄ネジ部３３側の端部を堰板１０の一方の内側面に当接させた状態で、雄ネジ部３３を堰板１０に貫通して穿設された緊結用孔部１２に挿通しており、堰板１０の外側面側で雄ネジ部３３と螺合している緊結部材１７によってセパレータ用コーン３０を介してセパレータ２０が堰板１０に緊結されており、セパレータ用コーン３０の排出路３５は、堰板１０に貫通して穿設された排出用孔部１１に連通しているものである。
【００４２】
より詳細には、コンクリート型締め構造１は、次のように構築される。まず、一対の堰板１０のそれぞれには、予めセパレータ２０の数と同数の緊結用孔部１２が貫通して穿設されている。セパレータ２０の雄ネジ２１に雌ネジ部３２を螺合させたセパレータ用コーン３０の雄ネジ部３３を、この緊結用孔部１２に挿通すると共に、セパレータ用コーン３０の雄ネジ部３３側の端面を堰板１０の内側面に当接させる。緊結用孔部１２を介して堰板１０を貫通した雄ネジ部３３には、堰板１０の外側面側でワッシャ１６及び締め付け金具５０の孔部５２を通した上で、緊結部材１７によって留め付ける。
【００４３】
ここで、締め付け金具５０は、雄ネジ部３３を通す貫通した孔部５２を有する基部５１と、基部５１の上端及び下端からそれぞれ延出した、楔１５を差し込む貫通孔５４を有する一対の楔留め付け部５３を具備するものである。この締め付け金具５０は、一対の堰板１０間にコンクリートを流し込んだ際に、コンクリートから受ける圧力によって堰板１０が反ることを防止するために、長尺の角材やパイプ材を使用して堰板１０を内側に向けて押圧するための部材である。図１１及び図１２では、締め付け金具５０の両側に、側面を堰板１０に当接させた桟木１３を立設し、一対の楔留め付け部５３の間に横材１４を通した上で、楔留め付け部５３の貫通孔５４に楔１５を挿入することにより、横材１４及び桟木１３を介して堰板１０を外側から押圧する場合を例示している。なお、図１１では、構成を明確に示すために、セパレータ２０を一本のみ図示しているが、実際のコンクリート型締め構造では、上下方向、水平方向に多数のセパレータが列設される。
【００４４】
また、堰板１０において、緊結用孔部１２の下方には、排出用孔部１１が穿設されており、セパレータ用コーン３０の排出路３５は、排出用孔部１１と連通している。これにより、コンクリート内部と外部とを繋ぐ排出用の流通路が形成される。なお、堰板１０として合板を用いる場合、堰板１０に穿設された排出用孔部１１の内周面がささくれ立つおそれがあるが、堰板１０に穿設した孔部に金属製のパイプ等を挿通して排出用孔部１１とすることにより、内部を水が流通する際の抵抗を低減することができる。
【００４５】
上記の構成のコンクリート型締め構造１では、コンクリートから分離した水や気泡は、セパレータ用コーン３０の雌ネジ部３２側の端部に開口した排出路３５から流入し、排出路３５内を雄ネジ３３部側の端部まで流通し、排出用孔部１１を介して堰板１０の外部に排出される。
【００４６】
ここで、セパレータ用コーン３０は、大径側の端部を堰板１０に当接させているため、上方の排出路３５では流入側よりも排出側が高く位置している。そのため、上方の排出路３５から流入した水は、そのままでは排出側に移動しにくいところ、セパレータ用コーン３０は雌ネジ部３２側の端部に縁溝３６を有している。これにより、上方の排出路３５から流入した水は縁溝３６を通じて下方に位置する排出路３５へと導かれる。下方の排出路３５は、大径側の端部に向かって下降するように傾斜しているため、重力を利用して容易に水を移動させ、排出用孔部１１を介して堰板１０の外部にスムーズに排出することができる。
【００４７】
加えて、第三実施形態及び第四実施形態のセパレータ用コーン３０ｃ，３０ｄは、環状部３４の排出路３５に開口するスリット４０をコーン部３１側に有しているため、これを使用したコンクリート型締め構造１では、水や気泡が流通可能な空隙が広く形成される。これにより、コンクリート内の微細な粒子によって空隙が閉塞するおそれを低減して、水や気泡を効果的に外部に排出することができる。なお、スリット４０を有するセパレータ用コーン３０ｃ，３０ｄを使用するコンクリート型締め構造１では、より大きな排出用孔部１１を堰板１０に穿設しても良い。
【００４８】
以上、本発明について好適な実施形態を挙げて説明したが、本発明は上記の実施形態に限定されるものではなく、本発明の要旨を逸脱しない範囲において、種々の改良及び設計の変更が可能である。
【００４９】
例えば、上記の実施形態では、堰板１０の排出用孔部１１が一つの場合を例示したが、セパレータ用コーン３０の排出路３５の位置に合わせて、複数の排出用孔部１１を設けても良い。また、排出路３５の個数、形状も実施形態で例示したものに限定されるものではない。
【符号の説明】
【００５０】
１  コンクリート型締め構造
１０  堰板
１１  排出用孔部
１２  緊結用孔部
１７  緊結部材
２０  セパレータ
２１  雄ネジ
３０ａ，３０ｂ，３０ｃ，３０ｄ  セパレータ用コーン
３１  コーン部
３２  雌ネジ部
３３  雄ネジ部
３４  環状部
３５  排出路
３６  縁溝
３７  溝部
【先行技術文献】
【特許文献】
【００５１】
【特許文献１】特開昭６４−５２９５９号公報
【特許文献２】特許第３９３５５５１号公報
【図１】
0005926224.tif 000002
【図２】
0005926224.tif 000003
【図３】
0005926224.tif 000004
【図４】
0005926224.tif 000005
【図５】
0005926224.tif 000006
【図６】
0005926224.tif 000007
【図７】
0005926224.tif 000008
【図８】
0005926224.tif 000009
【図９】
0005926224.tif 000010
【図１０】
0005926224.tif 000011
【図１１】
0005926224.tif 000012
【図１２】
0005926224.tif 000013
【図１３】
0005926224.tif 000014